(57)【要約】【課題】ユーザの位置が変わった場合でも、スピーカから出力される音を容易に聞こえ易くすることが可能なパーティションを提供する。【解決手段】このパーティション１００は、網目状に形成された複数の枠部１１を含むパーティション本体１と、スピーカ２１および３１を含み、スピーカ２１および３１の向きを変更可能な状態でパーティション本体１の複数の枠部１１のうちの少なくとも１つに取り付け可能なスピーカパネル２および３とを備える。【選択図】図１
2014020007.tif 000002
【特許請求の範囲】
【請求項１】
網目状に形成された複数の枠部を含むパーティション本体と、
スピーカを含み、前記スピーカの向きを変更可能な状態で前記パーティション本体の前記複数の枠部のうちの少なくとも１つに取り付け可能なスピーカパネルとを備える、パーティション。
【請求項２】
前記スピーカパネルは、水平方向に延びる水平軸線の周りに回動可能に取り付けられることにより、前記スピーカの向きを前後方向に傾斜可能なように構成されている、請求項１に記載のパーティション。
【請求項３】
前記スピーカパネルは、垂直方向に延びる垂直軸線の周りに回動可能に取り付けられることにより、前記スピーカの向きを左右方向に傾斜可能なように構成されている、請求項１または２に記載のパーティション。
【請求項４】
前記スピーカパネルの一端に取り付けられる第１軸部と、前記スピーカパネルの前記一端とは反対側の他端に取り付けられる第２軸部とを備え、
前記スピーカパネルは、前記第１軸部および前記第２軸部を介して前記枠部に回動可能に取り付けられている、請求項２または３に記載のパーティション。
【請求項５】
前記枠部は、略垂直方向および略水平方向に延びる辺を含む略矩形形状を有し、
前記第１軸部および前記第２軸部は、前記枠部の略垂直方向の前記辺または前記枠部の略水平方向の前記辺のいずれか一方に選択的に取り付け可能に構成されており、
前記第１軸部および前記第２軸部を前記枠部の略垂直方向の前記辺に取り付けた場合には、水平方向に延びる水平軸線の周りに回動可能となり、
前記第１軸部および前記第２軸部を前記枠部の略水平方向の前記辺に取り付けた場合には、垂直方向に延びる垂直軸線の周りに回動可能となるように構成されている、請求項４に記載のパーティション。
【請求項６】
前記第１軸部および前記第２軸部は、前記枠部の前記辺の中央部近傍に取り付け可能に構成されている、請求項５に記載のパーティション。
【請求項７】
前記スピーカパネルは、前記第１軸部および前記第２軸部のそれぞれに対して回動可能に係合する第１軸受部および第２軸受部を含む、請求項４〜６のいずれか１項に記載のパーティション。
【請求項８】
前記第１軸部および前記第２軸部は、それぞれ、軸部側係止部を含み、
前記第１軸受部および前記第２軸受部は、それぞれ、前記軸部側係止部に係合可能な軸受部側係止部を含み、
前記スピーカパネルは、前記軸部側係止部および前記軸受部側係止部が互いに係合した状態で任意の回動角度位置で係止されて固定されるように構成されている、請求項７に記載のパーティション。
【請求項９】
前記枠部の内部に設けられるスピーカケーブルと電気的に接続される第１コネクタと、前記第１軸部に取り付けられ、前記スピーカと電気的に接続される第２コネクタとを備え、
前記スピーカパネルを取り付ける際に、前記第１コネクタおよび前記第２コネクタを接続することにより前記スピーカと前記スピーカケーブルとを電気的に接続するように構成されている、請求項４〜８のいずれか１項に記載のパーティション。
【請求項１０】
間仕切りの機能を有する平板からなるとともに、前記複数の枠部のうち少なくとも１つに取り付け可能に構成されている前記スピーカを含まない間仕切り用パネルを備え、
前記間仕切り用パネルは、圧入されることにより固定された状態で前記枠部に取り付け可能に構成されている、請求項１〜９のいずれか１項に記載のパーティション。
【発明の詳細な説明】
【技術分野】
【０００１】
この発明は、パーティションに関し、特に、スピーカを取り付け可能なパーティションに関する。
【背景技術】
【０００２】
従来、スピーカを取り付け可能なパーティションが知られている（たとえば、特許文献１参照）。
【０００３】
上記特許文献１には、フレーム部材（パーティション本体）と、スピーカを含み、スピーカを固定した状態でフレーム部材に取り付け可能な板部材とを備えるパーティションが開示されている。
【先行技術文献】
【特許文献】
【０００４】
【特許文献１】特開平１０−２３７９８９号公報
【発明の概要】
【発明が解決しようとする課題】
【０００５】
しかしながら、上記特許文献１のパーティションでは、スピーカは、フレーム部材に固定的に取り付けられているので、ユーザの位置が変わると、スピーカの指向性に起因してスピーカから出力される音がユーザに聞こえにくくなる場合があると考えられる。
【０００６】
この発明は、上記のような課題を解決するためになされたものであり、この発明の１つの目的は、ユーザの位置が変わった場合でも、ユーザの位置に合わせてスピーカから出力される音を容易に聞こえ易くすることが可能なパーティションを提供することである。
【課題を解決するための手段】
【０００７】
この発明の一の局面によるパーティションは、網目状に形成された複数の枠部を含むパーティション本体と、スピーカを含み、スピーカの向きを変更可能な状態でパーティション本体の複数の枠部のうちの少なくとも１つに取り付け可能なスピーカパネルとを備える。
【０００８】
この一の局面によるパーティションでは、上記のように、スピーカの向きを変更可能な状態でパーティション本体に取り付け可能なスピーカパネルを設けることによって、パーティションを移動させることなくユーザの位置に応じてスピーカの向きを容易に変更することができるので、ユーザの位置が変わった場合でも、ユーザの位置に合わせてスピーカから出力される音を容易に聞こえ易くすることができる。また、スピーカの向きを変更可能な状態で複数の枠部のうちの少なくとも１つに取り付け可能にスピーカパネルを構成することによって、スピーカパネルをパーティション本体の枠部に取り付けることができるので、たとえば、パーティション本体に棚などを設けてスピーカパネルを取り付ける場合に比べて、ユーザの邪魔になることなくスピーカパネルを取り付けることができる。
【０００９】
上記一の局面によるパーティションにおいて、好ましくは、スピーカパネルは、水平方向に延びる水平軸線の周りに回動可能に取り付けられることにより、スピーカの向きを前後方向に傾斜可能なように構成されている。このように構成すれば、スピーカパネルを水平軸線の周りに回動させるだけでスピーカの向きを前後方向（斜め下向きまたは斜め上向き）に変更することができるので、スピーカに対するユーザの高さ位置が変わった場合でも、スピーカから出力される音を容易に聞こえ易くすることができる。
【００１０】
上記一の局面によるパーティションにおいて、好ましくは、スピーカパネルは、垂直方向に延びる垂直軸線の周りに回動可能に取り付けられることにより、スピーカの向きを左右方向に傾斜可能なように構成されている。このように構成すれば、スピーカパネルを垂直軸線の周りに回動させるだけでスピーカの向きを左右方向に変更することができるので、スピーカに対してユーザが左方向または右方向に移動した場合でも、スピーカから出力される音を容易に聞こえ易くすることができる。
【００１１】
上記スピーカパネルが水平軸線の周りに回動可能に取り付けられる構成において、好ましくは、スピーカパネルの一端に取り付けられる第１軸部と、スピーカパネルの一端とは反対側の他端に取り付けられる第２軸部とを備え、スピーカパネルは、第１軸部および第２軸部を介して枠部に回動可能に取り付けられている。このように構成すれば、第１軸部および第２軸部を回動中心として容易にスピーカパネルを回動させることができるので、ユーザの位置に応じてスピーカの向きをより容易に変更することができる。
【００１２】
上記第１軸部および第２軸部を含む構成において、好ましくは、枠部は、略垂直方向および略水平方向に延びる辺を含む略矩形形状を有し、第１軸部および第２軸部は、枠部の略垂直方向の辺または枠部の略水平方向の辺のいずれか一方に選択的に取り付け可能に構成されており、第１軸部および第２軸部を枠部の略垂直方向の辺に取り付けた場合には、水平方向に延びる水平軸線の周りに回動可能となり、第１軸部および第２軸部を枠部の略水平方向の辺に取り付けた場合には、垂直方向に延びる垂直軸線の周りに回動可能となるように構成されている。このように構成すれば、第１軸部および第２軸部を枠部の略垂直方向の辺または枠部の略水平方向の辺のいずれか一方に選択的に取り付けるだけで、スピーカパネルが回動する方向を容易に切り替えることができる。
【００１３】
上記枠部が略矩形形状を有する構成において、好ましくは、第１軸部および第２軸部は、枠部の辺の中央部近傍に取り付け可能に構成されている。このように構成すれば、第１軸部および第２軸部を枠部の辺の中央部近傍から離して取り付けた場合と異なり、スピーカパネルを回動させる際にパーティション本体の前後方向へのスピーカパネルの突出量を必要最小限にすることができるので、スピーカパネルが邪魔になるのを抑制することができる。
【００１４】
上記第１軸部および第２軸部を含む構成において、好ましくは、スピーカパネルは、第１軸部および第２軸部のそれぞれに対して回動可能に係合する第１軸受部および第２軸受部を含む。このように構成すれば、第１軸受部および第２軸受部によりスピーカパネルを第１軸部および第２軸部に対して回動させて、ユーザの位置に応じてスピーカの向きをさらに容易に変更することができる。
【００１５】
上記第１軸受部および第２軸受部を含む構成において、好ましくは、第１軸部および第２軸部は、それぞれ、軸部側係止部を含み、第１軸受部および第２軸受部は、それぞれ、軸部側係止部に係合可能な軸受部側係止部を含み、スピーカパネルは、軸部側係止部および軸受部側係止部が互いに係合した状態で任意の回動角度位置で係止されて固定されるように構成されている。このように構成すれば、スピーカパネルを回動させた際の任意の回動角度位置で固定することができるので、スピーカがユーザの位置に向けられた状態を容易に維持することができる。
【００１６】
上記第１軸部および第２軸部を含む構成において、好ましくは、枠部の内部に設けられるスピーカケーブルと電気的に接続される第１コネクタと、第１軸部に取り付けられ、スピーカと電気的に接続される第２コネクタとを備え、スピーカパネルを取り付ける際に、第１コネクタおよび第２コネクタを接続することによりスピーカとスピーカケーブルとを電気的に接続するように構成されている。このように構成すれば、第１コネクタおよび第２コネクタを接続するだけで、容易に、スピーカとスピーカケーブルとを電気的に接続することができる。
【００１７】
上記一の局面によるパーティションにおいて、好ましくは、間仕切りの機能を有する平板からなるとともに、複数の枠部のうち少なくとも１つに取り付け可能に構成されているスピーカを含まない間仕切り用パネルを備え、間仕切り用パネルは、圧入されることにより固定された状態で枠部に取り付け可能に構成されている。このように構成すれば、枠部に間仕切り用パネルを容易に取り付けることができるので、スピーカパネルが設置されていない部分は、間仕切り用パネルを用いて容易に空間を間仕切ることができる。
【発明の効果】
【００１８】
本発明によれば、上記のように、ユーザの位置が変わった場合でも、ユーザの位置に合わせてスピーカから出力される音を容易に聞こえ易くすることができる。
【図面の簡単な説明】
【００１９】
【図１】本発明の一実施形態によるパーティションの全体を示す図である。
【図２】本発明の一実施形態によるパーティションの水平軸線周りに回動するように取り付けた状態のスピーカパネルを正面側から見た図である。
【図３】本発明の一実施形態によるパーティションの水平軸線周りに回動するように取り付けた状態のスピーカパネルを後面側から見た図である。
【図４】本発明の一実施形態によるパーティションの垂直軸線周りに回動するように取り付けた状態のスピーカパネルを正面側から見た図である。
【図５】本発明の一実施形態によるパーティションの間仕切り用パネルを正面側から見た図である。
【図６】本発明の一実施形態によるパーティションの枠部を示す図である。
【図７】本発明の一実施形態によるパーティションのスピーカパネルを水平軸線周りに回動させた状態の図である。
【図８】本発明の一実施形態によるパーティションのスピーカパネルを垂直軸線周りに回動させた状態の図である。
【図９】本発明の一実施形態によるパーティションのコネクタを示す図である。
【図１０】本発明の一実施形態によるパーティションのコネクタを接続した状態の図である。
【図１１】本発明の一実施形態によるパーティションの第２軸部を枠部に取り付けた状態の図である。
【図１２】図２の５００−５００線に沿った断面図である。
【図１３】図２の６００−６００線に沿った断面図である。
【図１４】図２の７００−７００線に沿った断面図である。
【図１５】図２の８００−８００線に沿った断面図である。
【図１６】本発明の一実施形態によるパーティションに受信用パネルを取り付けた状態の変形例を示した図である。
【図１７】本発明の一実施形態によるパーティションに接続用パネルを取り付けた状態の変形例を示した図である。
【発明を実施するための形態】
【００２０】
以下、図１〜図１５を参照して、本発明の一実施形態によるパーティション１００の構成について説明する。
【００２１】
ここで、本発明の一実施形態によるパーティション１００は、図１に示すように、パーティション本体１と、スピーカパネル２および３と、間仕切り用パネル４とにより主に構成されている。また、スピーカパネル２および３は、それぞれ、スピーカ２１および３１を含む。また、スピーカパネル２および３は、間仕切りとしての機能も有する。また、間仕切り用パネル４は、間仕切りの機能を有する平板４１からなる。なお、間仕切り用パネル４には、スピーカは含まれない。また、スピーカパネル２および３は、同様の構成を有している。このため、これ以降はスピーカパネル２の構成について説明し、スピーカパネル３についてはその説明を省略する。
【００２２】
パーティション本体１は、図１に示すように、網目状に形成された略矩形形状の複数の枠部１１と、伸縮可能に構成される２つの管状の突っ張り棒１２とを含んでいる。
【００２３】
枠部１１は、図１〜図８に示すように、略垂直方向（Ｙ方向）および略水平方向（Ｘ方向）に延びる管状の部材により構成されている。また、枠部１１は、図１〜図４に示すように、スピーカパネル２が取り付け可能に構成されている。枠部１１は、図５に示すように、枠部１１の内周部に間仕切り用パネル４が嵌り込む形状に形成されている。また、枠部１１は、間仕切り用パネル４が圧入されることにより固定された状態で取り付け可能に構成されている。スピーカパネル２と、間仕切り用パネル４とは、複数の枠部１１のうちユーザが所望する任意の枠部１１に取り付けることが可能である。なお、スピーカパネル２の枠部１１への取り付けについては、後で詳しく説明する。
【００２４】
突っ張り棒１２は、図１に示すように、一端（Ｙ２方向）を床面に当接するとともに、他端（Ｙ１方向）を天井に当接するように構成されている。また、突っ張り棒１２は、伸縮可能なように構成されている。これにより、Ｘ１方向側およびＸ２方向側において床面から天井までの高さが異なる場合でも、パーティション１００を安定して設置することが可能である。また、枠部１１および突っ張り棒１２は、樹脂により一体的に形成されている。
【００２５】
管状の枠部１１および管状の突っ張り棒１２の内部には、図１に示すように、スピーカケーブル１３ａおよび１３ｂが配置されている。スピーカケーブル１３ａは、主に垂直方向（Ｙ方向）に沿って配置されている。また、スピーカケーブル１３ａは、Ｙ方向の端部では略Ｕ字形状に曲折されている。また、スピーカケーブル１３ａの一端は、Ｘ２方向側の突っ張り棒１２の下部（Ｙ２方向）から外部へ出されるように構成されている。スピーカケーブル１３ａは、図７に示すように、スピーカパネル２を水平軸線ｈの周りに回動可能に取り付けた際にスピーカ２１に接続されるように構成されている。
【００２６】
また、スピーカケーブル１３ｂは、主に水平方向（Ｘ方向）に沿って配置されている。また、スピーカケーブル１３ｂは、Ｘ方向の端部では、略Ｕ字形状に曲折されている。また、スピーカケーブル１３ｂの一端は、Ｘ１方向側の突っ張り棒１２の下部（Ｙ２方向）から外部へ出されるように構成されている。スピーカケーブル１３ｂは、図８に示すように、スピーカパネル２を垂直軸線ｖの周りに回動可能に取り付けた際に接続されるように構成されている。
【００２７】
また、パーティション本体１の外部に出された側のスピーカケーブル１３ａおよび１３ｂは、図示しない外部機器（たとえば、オーディオセット）に接続されている。スピーカケーブル１３ａおよび１３ｂは、ぞれぞれ、図１０に示すように、正（＋）の極性を持つケーブルおよび負（−）の極性を持つケーブルの２本のケーブルを含んでいる。なお、図１において、簡略化のためスピーカケーブル１３ａおよび１３ｂは、それぞれ、１本の線で図示している。
【００２８】
また、複数の枠部１１には、図２〜図８に示すように、孔部１４が形成されている。孔部１４は、枠部１１の辺のＹ１方向側およびＸ２方向側に形成されている。孔部１４は、枠部１１のＸ方向およびＹ方向の辺の略中心に形成されている。また、孔部１４には、図２〜図４および図１０に示すように、切欠１５が形成されている。また、孔部１４および切欠１５は、Ｚ１方向から見て、最も左側（Ｘ２方向側）の枠部１１のＸ２方向側の辺、および、最も上側（Ｙ１方向側）の枠部１１のＹ１方向側の辺には形成されていない。
【００２９】
管状の枠部１１の内部には、図１０に示すように、コネクタ１１０を固定する台部１６が形成されている。また、台部１６は、枠部１１の内部のうちコネクタ１１０が配置される位置に対応する位置に設けられている。コネクタ１１０には、スピーカケーブル１３ａが電気的に接続されている。
【００３０】
また、枠部１１には、図２、図４〜図８および図１０に示すように、コネクタ１１０をＺ１方向側に露出させる開口部１７が形成されている。開口部１７は、枠部１１を構成する辺にそれぞれ１つずつ設けられている。開口部１７は、枠部１１を構成するＸ方向およびＹ方向の辺の略中心に形成されている。開口部１７は、コネクタ１１０をＺ１方向側に露出させるように構成されている。また、開口部１７は、最も右側（Ｘ１方向側）の枠部１１のＸ１方向側の辺、および、最も下側（Ｙ２方向側）の枠部１１のＹ２方向側の辺には形成されていない。
【００３１】
コネクタ１１０は、図２および図４〜図８に示すように、枠部１１を構成する辺にそれぞれ１つずつ設けられている。コネクタ１１０は、枠部１１の辺のＸ方向またはＹ方向の略中心に設けられている。また、コネクタ１１０は、最も右端（Ｘ１方向）の枠部１１のＸ１方向側の辺、および、最も下端（Ｙ２方向）の枠部１１のＹ２方向側の辺には形成されていない。なお、コネクタ１１０は、本発明の「第１コネクタ」の一例である。
【００３２】
略矩形形状を有するスピーカパネル２は、それぞれ、図１、図２および図４に示すように、スピーカ２１を略中央部に含む。また、スピーカパネル２は、スピーカ２１の向きを変更可能な状態で枠部１１に取り付け可能なように構成されている。
【００３３】
スピーカパネル２は、図７に示すように、水平方向に延びる水平軸線ｈの周りに回動可能に枠部１１に取り付けられることにより、スピーカ２１の向きを前後方向に傾斜可能なように構成されている。また、スピーカパネル２は、図８に示すように、垂直方向に延びる垂直軸線ｖの周りに回動可能に枠部１１に取り付けられることにより、スピーカ２１の向きを左右方向に傾斜可能なように構成されている。また、スピーカパネル２は、図２および図３に示すように、スピーカ２１が取り付けた際に向いていた側（Ｚ１方向側）と反対側（Ｚ２方向側）に向けられるように枠部１１に取り付けられている。また、スピーカパネル２は、管状の枠部１１の外径と略同じ厚みを有する。また、スピーカパネル２は、図１２および図１３に示すように、内部が中空になるように樹脂成型されている。
【００３４】
また、スピーカパネル２は、図２〜図４、図７および図８に示すように、第１軸部７に対して回動可能に係合する第１軸受部５を含む。第１軸受部５は、スピーカパネル２の一端に設けられている。第１軸受部５は、スピーカパネル２の辺の中央部近傍に設けられている。第１軸受部５は、図１２に示すように、Ｘ‐Ｚ断面において、略円筒形形状を有している。第１軸受部５の内表面には、図１４に示すように、軸部側歯車７１に係合して動きが規制される軸受部側係止部５１が形成されている。
【００３５】
また、スピーカパネル２は、図２〜図４、図７および図８に示すように、第２軸部８に対して回動可能に係合する第２軸受部６を含む。第２軸受部６は、スピーカパネル２の第１軸受部５が設けられる一端とは反対側の他端に設けられている。第２軸受部６は、スピーカパネル２の辺の中央部近傍に設けられている。第２軸受部６は、図１３に示すように、Ｘ‐Ｚ断面において、略円筒形形状を有している。第２軸受部６の内表面には、図１５に示すように、軸部側歯車８３に係合して動きが規制される軸受部側係止部６１が形成されている。
【００３６】
第１軸部７は、図２〜４、図１０および図１２に示すように、スピーカパネル２の第１軸受部５に取り付けられている。スピーカパネル２は、第１軸部７を介して枠部１１に回動可能に取り付けられて構成されている。第１軸部７は、図１２に示すように、Ｘ‐Ｚ断面において、略円筒形形状を有している。第１軸部７は、枠部１１の辺の中央部近傍に取り付け可能に構成されている。第１軸部７のスピーカパネル２側は、第１軸受部５に挿入されるように構成されている。第１軸部７の第１軸受部５に挿入される部分の外表面には、図１４に示すように、軸部側歯車７１が形成されている。軸部側歯車７１は、第１軸受部５の軸受部側係止部５１と係合可能なように構成されている。なお、軸部側歯車７１は、本発明の「軸部側係止部」の一例である。
【００３７】
第２軸部８は、図２〜図４、図１１および図１３に示すように、スピーカパネル２の第１軸部７が取り付けられる一端とは反対側の他端に取り付けられている。スピーカパネル２は、第２軸部８を介して枠部１１に回動可能に取り付けられて構成されている。第２軸部８は、枠部１１の辺の中央部近傍に取り付け可能に構成されている。第２軸部８は、図１１および図１３に示すように、略円柱形状の軸部本体８１と、軸部本体８１からＺ方向に突出する突出部８２とを含んでいる。軸部本体８１のスピーカパネル２側と反対側は、図１３に示すように、枠部１１に形成された孔部１４の外縁部１４ａに支持されるように構成されている。また、突出部８２は、枠部１１の孔部１４に形成された切欠１５に係合されるように構成されている。これにより、スピーカパネル２を第２軸部８に対して回動させた際に、第２軸部８が枠部１１に対して回動するのを防止している。また、第２軸部８のスピーカパネル２側は、第２軸受部６に挿入されるように構成されている。第２軸部８の第２軸受部６に挿入される部分の外表面には、図１５に示すように、軸部側歯車８３が形成されている。軸部側歯車８３は、第２軸受部６の軸受部側係止部６１と係合可能なように構成されている。また、軸部側歯車８３は、本発明の「軸部側係合部」の一例である。
【００３８】
第１軸部７および第２軸部８は、図２〜図４に示すように、枠部１１の略垂直方向の辺または枠部１１の略水平方向の辺のいずれか一方に選択的に取り付け可能に構成されている。第１軸部７および第２軸部８を枠部１１の略垂直方向の辺に取り付けた場合には、スピーカパネル２は、図７に示すように、水平方向に延びる水平軸線ｈの周りに回動可能なように構成されている。また、第１軸部７および第２軸部８を枠部１１の略水平方向の辺に取り付けた場合には、スピーカパネル２は、図８に示すように、垂直方向に延びる垂直軸線ｖの周りに回動可能なように構成されている。
【００３９】
また、スピーカパネル２は、図２および図４に示すように、一端がスピーカ２１に電気的に接続される配線３２ａを含む。また、配線３２ａは、中空のスピーカパネル２の内部および円筒形状の第１軸部７の内部に配置されている。また、配線３２ａの他端は、コネクタ１２０に電気的に接続されている。
【００４０】
コネクタ１２０は、図１０に示すように、コネクタ１１０と接続されるように構成されている。これにより、スピーカ２１とスピーカケーブル１３ａとが電気的に接続される。また、コネクタ１１０および１２０が接続されることにより、スピーカパネル２が枠部１１に取り付けられるように構成されている。なお、コネクタ１２０は、本発明の「第２コネクタ」の一例である。
【００４１】
また、図７および図８に示すように、軸部側歯車７１および第１軸受部５の軸受部側係止部５１が互いに係合した状態（図１４参照）で、スピーカパネル２は任意の回動角度位置で係止されて固定されるように構成されている。また、軸部側歯車８３および第２軸受部６の軸受部側係止部６１が互いに係合した状態（図１５参照）で、スピーカパネル２は任意の回動角度位置で係止されて固定されるように構成されている。スピーカパネル２を回動する際に、軸受部側係止部５１が弾性的に変形することによって、軸部側歯車７１および軸受部側係止部５１の係合状態が一時的に解除される。また、スピーカパネル２を回動する際に、軸受部側係止部６１が弾性的に変形することによって軸部側歯車８３および軸受部側係止部６１の係合状態が一時的に解除される。これにより、スピーカパネル２が段階的に回動することが可能である。
【００４２】
次に、図９〜図１２を参照してスピーカパネル２の取り付け手順について説明する。まず、図９、図１０および図１２に示すように、第１軸部７に取り付けられているコネクタ１２０をコネクタ１１０に接続する。これにより、スピーカ２１およびスピーカケーブル１３ａが電気的に接続される。この際、スピーカパネル２のコネクタ１２０が設けられている側が枠部１１に取り付けられる。そして、図１１に示すように、第２軸部８の突出部８２が切欠１５に係止されるようにＺ１方向からＺ２方向に向けて第２軸部８を押し込む。これにより、第２軸部８は、図１３に示すように、孔部１４の外縁部１４ａに支持される。また、スピーカパネル３はスピーカパネル２と同様にパーティション本体１に取り付けられる。
【００４３】
本実施形態では、上記のように、スピーカ２１および３１の向きを変更可能な状態でパーティション本体１に取り付け可能なスピーカパネル２および３を設ける。これにより、パーティション１００を移動させることなくユーザの位置に応じてスピーカ２１および３１の向きを容易に変更することができるので、ユーザの位置が変わった場合でも、ユーザの位置に合わせてスピーカ２１および３１から出力される音を容易に聞こえ易くすることができる。また、スピーカ２１および３１の向きを変更可能な状態で複数の枠部１１のうちの少なくとも１つに取り付け可能にスピーカパネル２および３を構成する。これにより、たとえば、パーティション本体１に棚などを設けてスピーカパネル２および３を取り付ける場合に比べて、ユーザの邪魔になることなくスピーカパネル２および３を取り付けることができる。
【００４４】
本実施形態では、上記のように、スピーカパネル２および３を、複数の枠部１１に回動可能に取り付けることによりスピーカ２１および３１の向きを変更可能で、かつ、間仕切りとしても機能するように構成する。これにより、スピーカパネル２および３を回動させるだけでスピーカ２１および３１の向きを変更することができるので、ユーザの位置が変わった場合でも、スピーカ２１および３１から出力される音を容易に聞こえ易くすることができる。また、スピーカパネル２および３を間仕切りとしてのパーティション１００の一部として機能させることができる。
【００４５】
本実施形態では、上記のように、スピーカパネル２および３を、水平方向に延びる水平軸線ｈの周りに回動可能に取り付けることにより、スピーカ２１および３１の向きを前後方向に傾斜可能なように構成する。これにより、スピーカパネル２および３を水平軸線ｈの周りに回動させるだけでスピーカ２１および３１の向きを前後方向（斜め下向きまたは斜め上向き）に変更することができるので、スピーカ２１および３１に対するユーザの高さ位置が変わった場合でも、スピーカ２１および３１から出力される音を容易に聞こえ易くすることができる。
【００４６】
本実施形態では、上記のように、スピーカパネル２および３を、垂直方向に延びる垂直軸線ｖの周りに回動可能に取り付けられることにより、スピーカ２１および３１の向きを左右方向に傾斜可能なように構成する。これにより、スピーカパネル２および３を垂直軸線ｖの周りに回動させるだけでスピーカ２１および３１の向きを左右方向に変更することができるので、スピーカ２１および３１に対してユーザが左方向または右方向に移動した場合でも、スピーカ２１および３１から出力される音を容易に聞こえ易くすることができる。
【００４７】
本実施形態では、上記のように、スピーカパネル２および３の一端に取り付けられる第１軸部７と、スピーカパネル２および３の一端とは反対側の他端に取り付けられる第２軸部８とを設けるとともに、第１軸部７および第２軸部８を介して枠部１１に回動可能にスピーカパネル２および３を取り付ける。これにより、第１軸部７および第２軸部８を回動中心として容易にスピーカパネル２および３を回動させることができるので、ユーザの位置に応じてスピーカ２１および３１の向きをより容易に変更することができる。
【００４８】
本実施形態では、上記のように、略垂直方向および略水平方向に延びる辺を含む略矩形形状を有するように枠部１１を構成するとともに、第１軸部７および第２軸部８を、枠部１１の略垂直方向の辺または枠部１１の略水平方向の辺のいずれか一方に選択的に取り付け可能に構成し、第１軸部７および第２軸部８を枠部１１の略垂直方向の辺に取り付けた場合には、水平方向に延びる水平軸線ｈの周りに回動可能となり、第１軸部７および第２軸部８を枠部１１の略水平方向の辺に取り付けた場合には、垂直方向に延びる垂直軸線ｖの周りに回動可能となるように構成する。これにより、第１軸部７および第２軸部８を枠部１１の略垂直方向の辺または枠部１１の略水平方向の辺のいずれか一方に選択的に取り付けるだけで、スピーカパネル２および３が回動する方向を容易に切り替えることができる。
【００４９】
本実施形態では、上記のように、第１軸部７および第２軸部８を、枠部１１の辺の中央部近傍に取り付け可能に構成する。これにより、第１軸部７および第２軸部８を枠部１１の辺の中央部近傍から離して取り付けた場合と異なり、スピーカパネル２および３を回動させる際に前後方向へのスピーカパネル２および３の突出量を必要最小限にすることができるので、スピーカパネル２および３が邪魔になるのを抑制することができる。
【００５０】
本実施形態では、上記のように、スピーカパネル２および３に、第１軸部７および第２軸部８のそれぞれに対して回動可能に係合する第１軸受部５および第２軸受部６を設ける。これにより、第１軸受部５および第２軸受部６によりスピーカパネル２および３を第１軸部７および第２軸部８に対して回動させて、ユーザの位置に応じてスピーカ２１および３１の向きをさらに容易に変更することができる。
【００５１】
本実施形態では、上記のように、第１軸部７および第２軸部８に、それぞれ、軸部側歯車７１および８３を設けるとともに、第１軸受部５および第２軸受部６に、それぞれ、軸部側歯車７１および８３に係合可能な軸受部側係止部５１および６１を設け、軸部側歯車７１および８３と、軸受部側係止部５１および６１とが互いに係合した状態で任意の回動角度位置で係止されて固定されるようにスピーカパネル２および３を構成する。これにより、スピーカパネル２および３を回動させた際の任意の回動角度位置で固定することができるので、スピーカ２１および３１がユーザの位置に向けられた状態を容易に維持することができる。
【００５２】
本実施形態では、上記のように、枠部１１の内部に設けるスピーカケーブル１３ａおよび１３ｂと電気的に接続するコネクタ１１０と、第１軸部７に取り付けるとともに、スピーカ２１および３１と電気的に接続するコネクタ１２０とを設け、スピーカパネル２および３を取り付ける際に、コネクタ１１０および１２０を接続することによりスピーカ２１および３１と、スピーカケーブル１３ａおよび１３ｂとをそれぞれ電気的に接続するように構成する。これにより、コネクタ１１０および１２０を接続するだけで、容易に、スピーカ２１および３１とスピーカケーブル１３ａおよび１３ｂとを電気的に接続することができる。
【００５３】
本実施形態では、上記のように、間仕切りの機能を有する平板４１からなるとともに、複数の枠部１１のうち少なくとも１つに取り付け可能に構成されているスピーカ２１および３１を含まない間仕切り用パネル４を設けるとともに、圧入されることにより固定された状態で枠部１１に取り付け可能に間仕切り用パネル４４を構成する。これにより、枠部１１に間仕切り用パネル４を容易に取り付けることができるので、スピーカパネル２および３が設置されていない部分は、間仕切り用パネル４を用いて容易に空間を間仕切ることができる。
【００５４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５５】
上記実施形態では、スピーカパネルを２つ設けた例を示したが、本発明はこれに限られない。本発明では、１つ、または、３つ以上のスピーカパネルを設けてもよい。
【００５６】
上記実施形態では、スピーカパネルを略矩形形状に形成された複数の枠部に取り付け可能に構成した例を示したが、本発明はこれに限られない。本発明では、略矩形形状の以外の枠部、たとえば、円形状の枠部に取り付け可能に構成してもよい。
【００５７】
上記実施形態では、スピーカパネルを、それぞれ、水平軸線ｈおよび垂直軸線ｖの周りに回動可能に取り付けた例を示したが、本発明はこれに限られない。本発明では、スピーカパネルを、水平軸線ｈまたは垂直軸線ｖのいずれか一方の周りに回動可能に取り付けてもよい。また、スピーカパネルを、略矩形形状の枠部の対角線に沿った軸の周りに回動可能に取り付けてもよい。
【００５８】
上記実施形態では、第１軸部および第２軸部を円柱形状に形成した例を示したが、本発明はこれに限られない。本発明では、たとえば、多角形形状や球形状に第１軸部および第２軸部を形成してもよい。
【００５９】
上記実施形態では、本発明の軸部側係止部としての軸部側歯車と、軸受部側係止部とを互いに係合させてスピーカパネルを任意の回動角度位置で固定した例を示したが、本発明はこれに限られない。本発明では、たとえば、軸部側係止部を歯車に形成し、軸受部側係止部を歯止めに形成したラチェット構造により構成してもよい。
【００６０】
上記実施形態では、パーティション本体に、スピーカパネルおよび間仕切り用パネルを取り付けた例を示したが、本発明はこれに限られない。本発明では、図１６に示すように、音声を再生可能な外部機器から音声についての無線信号を受信可能な受信部１０１ａが設けられ、複数の枠部のうち少なくとも１つに取り付け可能に構成されている受信用パネル１０１と、スピーカパネルとをパーティション本体に取り付けてもよい。これにより、スピーカパネルと外部機器とをスピーカケーブルを介して接続しなくても、ワイヤレスでスピーカから音声を出力することができる。また、本発明では、図１７に示すように、音声を再生可能な携帯機器１０２ａを接続可能な接続部１０２ｂが設けられ、複数の枠部のうち少なくとも１つに取り付け可能に構成されている接続用パネル１０２とスピーカパネルとを、パーティション本体に取り付けてもよい。なお、接続部１０２ｂは、配線１０２ｃを介してコネクタ１２０に接続されている。これにより、携帯機器１０２ａとスピーカとを配線１０２ｃおよびスピーカケーブルを介して接続することができるので、携帯機器で再生される音声をスピーカから出力することができる。なお、受信用パネルおよび接続用パネルには、それぞれ、電源供給アダプタ１０３を設けることにより電源が供給される。
【符号の説明】
【００６１】
１  パーティション本体
２  スピーカパネル
３  スピーカパネル
４  間仕切り用パネル
５  第１軸受部
６  第２軸受部
７  第１軸部
８  第２軸部
１１  枠部
１３ａ、１３ｂ  スピーカケーブル
２１、３１  スピーカ
４１  平板
５１  軸受部側係止部
６１  軸受部側係止部
７１  軸部側歯車（軸部側係止部）
８３  軸部側歯車（軸部側係止部）
１００  パーティション
１１０  コネクタ（第１コネクタ）
１２０  コネクタ（第２コネクタ）
【図１】
2014020007.tif 000003
【図２】
2014020007.tif 000004
【図３】
2014020007.tif 000005
【図４】
2014020007.tif 000006
【図５】
2014020007.tif 000007
【図６】
2014020007.tif 000008
【図７】
2014020007.tif 000009
【図８】
2014020007.tif 000010
【図９】
2014020007.tif 000011
【図１０】
2014020007.tif 000012
【図１１】
2014020007.tif 000013
【図１２】
2014020007.tif 000014
【図１３】
2014020007.tif 000015
【図１４】
2014020007.tif 000016
【図１５】
2014020007.tif 000017
【図１６】
2014020007.tif 000018
【図１７】
2014020007.tif 000019